(57)【要約】【課題】中継用のセグメントの信号が受信されてもサービスを提供しないことを簡易に実現する技術を提供する。【解決手段】多重化部２２は、放送用のトランスポートストリームと中継用のトランスポートストリームとを取得する。変形部２４は、取得した中継用のトランスポートストリームを変形させる。マッピング部２６は、取得した放送用のトランスポートストリームを放送用のセグメントにマッピングするとともに、変形した中継用のトランスポートストリームを中継用のセグメントにマッピングする。送信部２８は、マッピングの結果を出力する。【選択図】図３
2014197835.tif 000002
【特許請求の範囲】
【請求項１】
放送用のトランスポートストリームと中継用のトランスポートストリームとを取得する取得部と、
前記取得部において取得した中継用のトランスポートストリームを変形させる変形部と、
前記取得部において取得した放送用のトランスポートストリームをＯＦＤＭ信号における放送用のセグメントにマッピングするとともに、前記変形部において変形した中継用のトランスポートストリームをＯＦＤＭ信号における中継用のセグメントにマッピングするマッピング部と、
前記マッピング部におけるマッピングの結果を出力する出力部とを備え、
前記取得部において取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、
前記変形部は、中継用のトランスポートストリームに含まれた識別情報に対して、データの種別に非依存の第１値への置換を実行するとともに、連続性指標に対して、識別情報に対応した第２値への置換を実行し、
前記マッピング部におけるマッピングに使用される放送用のセグメントと中継用のセグメントとは周波数多重されることによってＯＦＤＭ信号のチャンネルに含まれることを特徴とする放送装置。
【請求項２】
前記変形部における第１値は、ヌルパケットを示す値であることを特徴とする請求項１に記載の放送装置。
【請求項３】
前記変形部は、
識別情報と第２値との対応が示されたテーブルを記憶する記憶部と、
前記記憶部に記憶したテーブルを参照することによって、中継用のトランスポートストリームに含まれた識別情報を第２値に変換する変換部と、
を備えることを特徴とする請求項１または２に記載の放送装置。
【請求項４】
別の放送装置からのＯＦＤＭ信号のチャンネルであって、かつ放送用のセグメントと中継用のセグメントが周波数多重されたチャンネルを入力する入力部と、
前記入力部において入力したチャンネルのうち、中継用のセグメントにマッピングされた中継用のトランスポートストリームを変形させる変形部と、
前記入力部において入力したチャンネルのうちの放送用のセグメントにマッピングされた放送用のトランスポートストリームの代わりに、前記変形部において変形した中継用のトランスポートストリームを放送用のセグメントにマッピングするマッピング部と、
前記マッピング部におけるマッピングの結果を出力する出力部とを備え、
前記入力部において入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、
前記変形部は、第１値に対して、第２値に対応した識別情報への置換を実行するとともに、第２値に対して、連続性指標への置換を実行することを特徴とする放送装置。
【請求項５】
前記変形部は、カウンタ値をもとに連続性指標を生成することを特徴とする請求項４に記載の放送装置。
【請求項６】
前記変形部は、
識別情報と第２値との対応が示されたテーブルを記憶する記憶部と、
前記記憶部に記憶したテーブルを参照することによって、中継用のトランスポートストリームに含まれた第２値を識別情報に変換する変換部と、
を備えることを特徴とする請求項４または５に記載の放送装置。
【請求項７】
前記マッピング部は、前記入力部において入力したチャンネルのうち、前記変形部での変形非対象である中継用のセグメントをそのまま前記出力部へ出力することを特徴とする請求項４から６のいずれかに記載の放送装置。
【請求項８】
放送用のトランスポートストリームと中継用のトランスポートストリームとを取得するステップと、
取得した中継用のトランスポートストリームを変形させるステップと、
取得した放送用のトランスポートストリームをＯＦＤＭ信号における放送用のセグメントにマッピングするとともに、変形した中継用のトランスポートストリームをＯＦＤＭ信号における中継用のセグメントにマッピングするステップと、
マッピングの結果を出力するステップとを備え、
前記取得するステップにおいて取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、
前記変形させるステップは、中継用のトランスポートストリームに含まれた識別情報に対して、データの種別に非依存の第１値への置換を実行するとともに、連続性指標に対して、識別情報に対応した第２値への置換を実行し、
前記マッピングするステップにおけるマッピングに使用される放送用のセグメントと中継用のセグメントとは周波数多重されることによってＯＦＤＭ信号のチャンネルに含まれることを特徴とする送信方法。
【請求項９】
別の放送装置からのＯＦＤＭ信号のチャンネルであって、かつ放送用のセグメントと中継用のセグメントが周波数多重されたチャンネルを入力するステップと、
入力したチャンネルのうち、中継用のセグメントにマッピングされた中継用のトランスポートストリームを変形させるステップと、
入力したチャンネルのうちの放送用のセグメントにマッピングされた放送用のトランスポートストリームの代わりに、変形した中継用のトランスポートストリームを放送用のセグメントにマッピングするステップと、
マッピングの結果を出力するステップとを備え、
前記入力するステップにおいて入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、
前記変形させるステップは、第１値に対して、第２値に対応した識別情報への置換を実行するとともに、第２値に対して、連続性指標への置換を実行することを特徴とする送信方法。
【請求項１０】
放送用のトランスポートストリームと中継用のトランスポートストリームとを取得するステップと、
取得した中継用のトランスポートストリームを変形させるステップと、
取得した放送用のトランスポートストリームを放送用のセグメントにマッピングするとともに、変形した中継用のトランスポートストリームを中継用のセグメントにマッピングするステップと、
マッピングの結果を出力するステップとをコンピュータに実行させるプログラムであって、
前記取得するステップにおいて取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、
前記変形させるステップは、中継用のトランスポートストリームに含まれた識別情報に対して、データの種別に非依存の第１値への置換を実行するとともに、連続性指標に対して、識別情報に対応した第２値への置換を実行し、
前記マッピングするステップにおけるマッピングに使用される放送用のセグメントと中継用のセグメントとは周波数多重されることによってＯＦＤＭ信号のチャンネルに含まれることを特徴とするプログラム。
【請求項１１】
別の放送装置からのＯＦＤＭ信号のチャンネルであって、かつ放送用のセグメントと中継用のセグメントが周波数多重されたチャンネルを入力するステップと、
入力したチャンネルのうち、中継用のセグメントにマッピングされた中継用のトランスポートストリームを変形させるステップと、
入力したチャンネルのうちの放送用のセグメントにマッピングされた放送用のトランスポートストリームの代わりに、変形した中継用のトランスポートストリームを放送用のセグメントにマッピングするステップと、
マッピングの結果を出力するステップとをコンピュータに実行させるプログラムであって、
前記入力するステップにおいて入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、
前記変形させるステップは、第１値に対して、第２値に対応した識別情報への置換を実行するとともに、第２値に対して、連続性指標への置換を実行することを特徴とするプログラム。
【請求項１２】
放送用のトランスポートストリームと中継用のトランスポートストリームとを取得するステップと、
取得した中継用のトランスポートストリームを変形させるステップと、
取得した放送用のトランスポートストリームをＯＦＤＭ信号における放送用のセグメントにマッピングするとともに、変形した中継用のトランスポートストリームをＯＦＤＭ信号における中継用のセグメントにマッピングするステップと、
マッピングの結果を出力するステップとをコンピュータに実行させるプログラムをコンピュータから読み出し可能に格納する記録媒体であって、
前記取得するステップにおいて取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、
前記変形させるステップは、中継用のトランスポートストリームに含まれた識別情報に対して、データの種別に非依存の第１値への置換を実行するとともに、連続性指標に対して、識別情報に対応した第２値への置換を実行し、
前記マッピングするステップにおけるマッピングに使用される放送用のセグメントと中継用のセグメントとは周波数多重されることによってＯＦＤＭ信号のチャンネルに含まれることを特徴とする記憶媒体。
【請求項１３】
別の放送装置からのＯＦＤＭ信号のチャンネルであって、かつ放送用のセグメントと中継用のセグメントが周波数多重されたチャンネルを入力するステップと、
入力したチャンネルのうち、中継用のセグメントにマッピングされた中継用のトランスポートストリームを変形させるステップと、
入力したチャンネルのうちの放送用のセグメントにマッピングされた放送用のトランスポートストリームの代わりに、変形した中継用のトランスポートストリームを放送用のセグメントにマッピングするステップと、
マッピングの結果を出力するステップとをコンピュータに実行させるプログラムをコンピュータから読み出し可能に格納する記録媒体であって、
前記入力するステップにおいて入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、
前記変形させるステップは、第１値に対して、第２値に対応した識別情報への置換を実行するとともに、第２値に対して、連続性指標への置換を実行することを特徴とする記憶媒体。
【発明の詳細な説明】
【技術分野】
【０００１】
本発明は、送信技術に関し、特に所定の信号を送信する放送装置、送信方法、記憶媒体に関する。
【背景技術】
【０００２】
地上デジタル放送のひとつである、携帯電話・移動体端末向けのワンセグメント放送が普及している。さらに、このワンセグメント放送の受信範囲を狭い地域（エリア）に限定したエリアワンセグメント放送も実施されている（例えば、特許文献１）。
【先行技術文献】
【特許文献】
【０００３】
【特許文献１】特開２０１１−１０３６２７号公報
【発明の概要】
【発明が解決しようとする課題】
【０００４】
エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。また、ワンセグメント放送、エリアワンセグメント放送の伝送形態として、ふたつの発展形が規定されている。ひとつ目は、最大１３個のワンセグメント番組をセグメント連結させて送信する形態であり、セグメント連結送信とよばれる。セグメント連結送信は、「束セグ」ともよばれる。ふたつ目は、ワンセグメント番組のセグメント位置を変えながら、セグメントを独立して使用する形態であり、「バラセグ」ともよばれる。後者においては、例えば、中央のひとつのセグメントを放送装置からの放送に使用し、残りのセグメントを放送装置間の中継に使用する利用形態が考えられる。
【０００５】
この利用形態の場合、受信装置が中継用のセグメントで受信したサービスをデコードしてしまうのは好ましくない。しかしながら、従来の放送装置では、バラセグの受信装置が、この利用形態の信号を受信したときに、中継用のセグメントで受信したサービスをデコードできないように配信することが困難であった。なお、中継のために束セグを使用する場合、ＵＬＥパケットを用いて特定の放送装置へＭＰＥＧ−ＴＳをカプセル化してからＩＰ化すれば、サービスをデコードできないように配信することが可能である。しかしながら、冗長度が増え中央のワンセグメントのサービスを配信するために、中継用のセグメントは複数必要になってしまうという問題が残る。
【０００６】
本発明はこうした状況に鑑みてなされたものであり、その目的は、中継用のセグメントの信号が受信されてもサービスを提供しないことを簡易に実現する技術を提供することである。
【課題を解決するための手段】
【０００７】
上記課題を解決するために、本発明のある態様の放送装置は、放送用のトランスポートストリームと中継用のトランスポートストリームとを取得する取得部と、取得部において取得した中継用のトランスポートストリームを変形させる変形部と、取得部において取得した放送用のトランスポートストリームをＯＦＤＭ信号における放送用のセグメントにマッピングするとともに、変形部において変形した中継用のトランスポートストリームをＯＦＤＭ信号における中継用のセグメントにマッピングするマッピング部と、マッピング部におけるマッピングの結果を出力する出力部とを備える。取得部において取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、変形部は、中継用のトランスポートストリームに含まれた識別情報に対して、データの種別に非依存の第１値への置換を実行するとともに、連続性指標に対して、識別情報に対応した第２値への置換を実行し、マッピング部におけるマッピングに使用される放送用のセグメントと中継用のセグメントとは周波数多重されることによってＯＦＤＭ信号のチャンネルに含まれる。
【０００８】
本発明の別の態様もまた、放送装置である。この装置は、別の放送装置からのＯＦＤＭ信号のチャンネルであって、かつ放送用のセグメントと中継用のセグメントが周波数多重されたチャンネルを入力する入力部と、入力部において入力したチャンネルのうち、中継用のセグメントにマッピングされた中継用のトランスポートストリームを変形させる変形部と、入力部において入力したチャンネルのうちの放送用のセグメントにマッピングされた放送用のトランスポートストリームの代わりに、変形部において変形した中継用のトランスポートストリームを放送用のセグメントにマッピングするマッピング部と、マッピング部におけるマッピングの結果を出力する出力部とを備える。入力部において入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、変形部は、第１値に対して、第２値に対応した識別情報への置換を実行するとともに、第２値に対して、連続性指標への置換を実行する。
【０００９】
本発明のさらに別の態様は、送信方法である。この方法は、放送用のトランスポートストリームと中継用のトランスポートストリームとを取得するステップと、取得した中継用のトランスポートストリームを変形させるステップと、取得した放送用のトランスポートストリームをＯＦＤＭ信号における放送用のセグメントにマッピングするとともに、変形した中継用のトランスポートストリームをＯＦＤＭ信号における中継用のセグメントにマッピングするステップと、マッピングの結果を出力するステップとを備える。取得するステップにおいて取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、変形させるステップは、中継用のトランスポートストリームに含まれた識別情報に対して、データの種別に非依存の第１値への置換を実行するとともに、連続性指標に対して、識別情報に対応した第２値への置換を実行し、マッピングするステップにおけるマッピングに使用される放送用のセグメントと中継用のセグメントとは周波数多重されることによってＯＦＤＭ信号のチャンネルに含まれる。
【００１０】
本発明のさらに別の態様もまた、送信方法である。この方法は、別の放送装置からのＯＦＤＭ信号のチャンネルであって、かつ放送用のセグメントと中継用のセグメントが周波数多重されたチャンネルを入力するステップと、入力したチャンネルのうち、中継用のセグメントにマッピングされた中継用のトランスポートストリームを変形させるステップと、入力したチャンネルのうちの放送用のセグメントにマッピングされた放送用のトランスポートストリームの代わりに、変形した中継用のトランスポートストリームを放送用のセグメントにマッピングするステップと、マッピングの結果を出力するステップとを備える。入力するステップにおいて入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、変形させるステップは、第１値に対して、第２値に対応した識別情報への置換を実行するとともに、第２値に対して、連続性指標への置換を実行する。
【００１１】
本発明のさらに別の態様は、記憶媒体である。この記憶媒体は、放送用のトランスポートストリームと中継用のトランスポートストリームとを取得するステップと、取得した中継用のトランスポートストリームを変形させるステップと、取得した放送用のトランスポートストリームをＯＦＤＭ信号における放送用のセグメントにマッピングするとともに、変形した中継用のトランスポートストリームをＯＦＤＭ信号における中継用のセグメントにマッピングするステップと、マッピングの結果を出力するステップとをコンピュータに実行させるプログラムをコンピュータから読み出し可能に格納する記録媒体であって、取得するステップにおいて取得した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、当該中継用のデータに対する識別情報および連続性指標とが含まれ、変形させるステップは、中継用のトランスポートストリームに含まれた識別情報に対して、データの種別に非依存の第１値への置換を実行するとともに、連続性指標に対して、識別情報に対応した第２値への置換を実行し、マッピングするステップにおけるマッピングに使用される放送用のセグメントと中継用のセグメントとは周波数多重されることによってＯＦＤＭ信号のチャンネルに含まれる。
【００１２】
本発明のさらに別の態様もまた、記憶媒体である。この記憶媒体は、別の放送装置からのＯＦＤＭ信号のチャンネルであって、かつ放送用のセグメントと中継用のセグメントが周波数多重されたチャンネルを入力するステップと、入力したチャンネルのうち、中継用のセグメントにマッピングされた中継用のトランスポートストリームを変形させるステップと、入力したチャンネルのうちの放送用のセグメントにマッピングされた放送用のトランスポートストリームの代わりに、変形した中継用のトランスポートストリームを放送用のセグメントにマッピングするステップと、マッピングの結果を出力するステップとをコンピュータに実行させるプログラムをコンピュータから読み出し可能に格納する記録媒体であって、入力するステップにおいて入力した放送用のトランスポートストリームには、放送用のデータと、当該放送用のデータの種別を識別するための識別情報と、同一の識別情報が付与された放送用のデータの順序を指定するための連続性指標とが含まれ、中継用のトランスポートストリームには、中継用のデータと、データの種別に非依存の第１値と、識別情報に対応した第２値とが含まれ、変形させるステップは、第１値に対して、第２値に対応した識別情報への置換を実行するとともに、第２値に対して、連続性指標への置換を実行する。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、中継用のセグメントの信号が受信されてもサービスを提供しないことを簡易に実現できる。
【図面の簡単な説明】
【００１５】
【図１】本発明の実施例１に係るエリアワンセグメント放送システムの構成を示す図である。
【図２】図２（ａ）−（ｃ）は、図１のエリアワンセグメント放送システムにおいて使用されるセグメントの構成を示す図である。
【図３】図１の第１放送装置の構成を示す図である。
【図４】図４（ａ）−（ｂ）は、図３の第１放送装置におけるＴＳのデータ構造を示す図である。
【図５】図３の変形部の構成を示す図である。
【図６】図５の記憶部に記憶されたテーブルのデータ構造を示す図である。
【図７】図１の第２放送装置の構成を示す図である。
【図８】図７の変形部の構成を示す図である。
【図９】図１の第３放送装置の構成を示す図である。
【図１０】本発明の実施例２に係るエリアワンセグメント放送システムの構成を示す図である。
【図１１】図１１（ａ）−（ｃ）は、図１０のエリアワンセグメント放送システムにおいて使用されるセグメントの構成を示す図である。
【図１２】本発明の実施例３に係るエリアワンセグメント放送システムの構成を示す図である。
【図１３】図１２の制御装置の構成を示す図である。
【図１４】図１３の記憶部に記憶したデータベースのデータ構造を示す図である。
【図１５】本発明の実施例３に係るエリアワンセグメント放送システムの別の構成を示す図である。
【図１６】図１５の制御装置における記憶部に記憶したデータベースのデータ構造を示す図である。
【発明を実施するための形態】
【００１６】
（実施例１）
本発明を具体的に説明する前に、まず概要を述べる。本発明の実施例１は、エリアワンセグメント放送におけるコンテンツ配信サービスを実現するために、コンテンツデータが含まれたＯＦＤＭ信号を送信するエリアワンセグメント放送用の放送装置に関する。放送装置は、バラセグを使用しており、中央のセグメントに放送用のコンテンツ（番組）を含めたトランスポートストリーム（以下、「ＴＳ」という）を割り当てることによって、サービスエリア内の受信装置にワンセグメント番組を提供する。一方、放送装置は、他のセグメントに中継用のコンテンツ（番組）を含めたＴＳを割り当てることによって、他の放送装置へワンセグメント番組を転送する。
【００１７】
地上デジタル放送では、選局に必要なＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）などのＰＳＩ（Ｐｒｏｇｒａｍ  Ｓｐｅｃｉｆｉｃ  Ｉｎｆｏｒｍａｔｉｏｎ）の各テーブルを識別できるように、ＴＳパケットのヘッダにＰＩＤ（Ｐａｃｋｅｔ  ＩＤ）が割振られている。一般の受信装置では、このＰＩＤ等で識別できるＰＳＩをもとに選局を行いデコードを開始する。意図的に放送休止中として受信させないようとする場合、ＰＭＴを配置しないことが考えられるが、これでは選局、デコードの処理に矛盾が発生する。また、一般の受信装置でデコードさせないようにＴＳデータを暗号化して放送する場合も考えられるが、この場合ＰＳＩの暗号化による受信装置の誤動作が考えられる。また、コンテンツデータを格納するＰＥＳ（Ｐａｃｋｅｔｉｚｅｄ  Ｅｌｅｍｅｎｔａｒｙ  Ｓｔｒｅａｍ）パケットに対して暗号化することも考えられるが、この場合はＣＡＴ（Ｃｏｎｄｉｔｉｏｎａｌ  Ａｃｃｅｓｓ  Ｔａｂｌｅ）等の配置が必要になるうえ、受信装置の誤動作回避には貢献しない。さらに中継されたＴＳを放送装置が放送する際に、ＴＳの変更が多くなり、冗長度の増加量に応じて、実効レートが下がる。
【００１８】
このようにバラセグを使用してエリアワンセグメント放送を実行する際に、中継用のＴＳが受信装置にて再生されない機能が必要になってくるが、そのような機能によって実効レートの低下を抑制することも必要になってくる。なお、放送装置にて放送すべきＴＳを「放送用のＴＳ」とよび、放送装置にて中継すべきＴＳを「中継用のＴＳ」とよぶこともある。前者は受信装置にて再生させるべきＴＳに相当し、後者は受信装置に再生させるべきでないＴＳに相当する。さらに、ここでは、中継用のＴＳを送信する放送装置を「マスタ放送装置」とよび、中継用のＴＳを受信する放送装置を「スレーブ放送装置」とよぶこともある。
【００１９】
マスタ放送装置は、放送用のＴＳのヘッダ部に、ＰＩＤと連続性指標とを含める。一般的に、連続性指標は、ＰＩＤごとにインクリメントされた値を示す。マスタ放送装置は、中継用のＴＳのヘッダ部にもＰＩＤと連続性指標とを含めるが、これらを別の値に置換させる。マスタ放送装置は、ＰＩＤをヌルパケット値（０ｘ１ＦＦＦ）に置換する。また、マスタ放送装置は、連続性指標をＰＩＤに対応した値（以下、「ＰＩＤ参照番号」という）に置換する。スレーブ放送装置は、中継用のＴＳを放送用のＴＳに戻す場合、マスタ放送装置とは逆の処理を実行する。スレーブ放送装置は、中継用のＴＳに含まれたＰＩＤ参照番号をもとにＰＩＤを特定し、特定したＰＩＤにヌルパケット値を置換する。また、スレーブ放送装置は、カウンタを備え、置換されたＰＩＤごとにインクリメントを実行することによって、連続性指標を生成する。スレーブ放送装置は、ＰＩＤ参照番号を連続性指標に置換する。また、スレーブ放送装置は、中継用のＴＳをさらに中継する場合、前述の置換処理を実行しない。
【００２０】
図１は、本発明の実施例１に係るエリアワンセグメント放送システム１００の構成を示す。エリアワンセグメント放送システム１００は、放送装置１０と総称される第１放送装置１０ａ、第２放送装置１０ｂ、第３放送装置１０ｃ、受信装置１２と総称される第１受信装置１２ａ、第２受信装置１２ｂ、第３受信装置１２ｃを含む。
【００２１】
第１放送装置１０ａは、前述のマスタ放送装置に相当する。第１放送装置１０ａは、バラセグに対応しており、中央のセグメント（以下、「放送用のセグメント」という）に放送用のＴＳを割り当てる。また、第１放送装置１０ａは、放送用のセグメント以外のセグメント（以下、「中継用のセグメント」という）に中継用のＴＳを割り当てる。その際、第１放送装置１０ａは、中継用のＴＳのヘッダ部を変形させる。このような処理の後、放送用のＴＳと中継用のＴＳとを周波数分割多重しＯＦＤＭ信号を生成する。第１放送装置１０ａは、周波数分割多重したＯＦＤＭ信号（以下、単に信号とよぶこともある）を送信する。特に、放送用のセグメントに割り当てられた放送用のＴＳの宛先は、第１受信装置１２ａであり、中継用のセグメントに割り当てられた中継用のＴＳの宛先は、他の放送装置１０である。第１放送装置１０ａから送信された信号は、第１放送装置１０ａのサービスエリアに存在する第１受信装置１２ａに受信される。第１受信装置１２ａは、信号の中から放送用のＴＳを抽出し、エリアワンセグメント放送の番組を再生する。一方、中継用のＴＳのヘッダ部が変形されているので、第１受信装置１２ａは、中継用のＴＳを再生できない。
【００２２】
図２（ａ）−（ｃ）は、エリアワンセグメント放送システム１００において使用されるセグメントの構成を示す。図２（ａ）は、第１放送装置１０ａから送信される信号のセグメント構造を示す。一般的な地上デジタル放送と同様に、１３のセグメントが周波数分割多重されることによってひとつのチャンネルが形成されており、中央のセグメントを「セグメント０」とし、その左隣を「セグメント１」、右隣を「セグメント２」といった順番でセグメントの番号が規定されている。図２（ａ）は、説明を明瞭にするために、１３のセグメントのうちの３つを示す。また、「セグメント０」が中央のセグメントであり、前述の放送用のセグメントに相当する。「セグメント１」、「セグメント２」は、中継用のセグメントに相当する。なお、本実施例では１３セグメントの場合を説明するが、セグメント数はこれに限らず、さらに細分化されていてもよいことはいうまでもない。ここでは、放送用のセグメントに放送用のＴＳ「Ａ」が割り当てられ、中継用のセグメントに、中継用のＴＳ「Ｂ」、「Ｃ」が割り当てられている。なお、「Ｂ」は、第２放送装置１０ｂ宛のＴＳであり、「Ｃ」は、第３放送装置１０ｃ宛のＴＳである。エリアワンセグメント放送システム１００の各放送装置１０において、このようなＴＳとセグメントとの対応関係は予め定められている。図１の第１受信装置１２ａは、放送用のＴＳ「Ａ」を再生する。図２（ｂ）−（ｃ）の説明は後述する。図１に戻る。
【００２３】
第２放送装置１０ｂは、前述のスレーブ放送装置に相当する。第２放送装置１０ｂは、第１放送装置１０ａからの信号を受信する。第２放送装置１０ｂは、放送用のセグメントに割り当てられた放送用のＴＳを破棄する。第２放送装置１０ｂは、中継用のＴＳのうち、第２放送装置１０ｂが放送すべきＴＳを特定する。これは、図２（ａ）の場合、中継用のＴＳ「Ｂ」を特定することに相当する。第２放送装置１０ｂは、特定した中継用のＴＳのヘッダをもとに戻すことによって、中継用のＴＳを放送用のＴＳに変形させる。もとに戻すとは、第１放送装置１０ａにおける変形とは逆の処理を実行することに相当する。第２放送装置１０ｂは、放送用のＴＳを放送用のセグメントに割り当てる。また、第２放送装置１０ｂは、受信した信号において、他の中継用のＴＳが割り当てられた中継用のセグメントに、当該他の中継用のＴＳをそのまま割り当てる。第２放送装置１０ｂは、周波数分割多重した信号を送信する。
【００２４】
第２受信装置１２ｂは、第２放送装置１０ｂからの信号を受信する。第２受信装置１２ｂは、第１受信装置１２ａと同様に、信号の中から放送用のＴＳを抽出し、エリアワンセグメント放送の番組を再生する。図２（ｂ）は、第２放送装置１０ｂから送信される信号のセグメント構造を示す。図示のごとく、放送用のＴＳ「Ｂ」が、放送用のセグメント「０」に割り当てられている。放送用のＴＳ「Ｂ」は、図２（ａ）に示されているように第１放送装置１０ａにおいて中継用のＴＳとされている。中継用のＴＳ「Ｃ」は、中継用のセグメント「１」に割り当てられており、これは図２（ａ）と同様である。図２（ｃ）の説明は後述する。図１に戻る。
【００２５】
第３放送装置１０ｃは、前述のスレーブ放送装置に相当する。第３放送装置１０ｃは、第２放送装置１０ｂからの信号を受信する。第３放送装置１０ｃは、放送用のセグメントに割り当てられた放送用のＴＳを破棄する。第３放送装置１０ｃは、中継用のＴＳのうち、第３放送装置１０ｃが放送すべきＴＳを特定する。これは、図２（ａ）の場合、中継用のＴＳ「Ｃ」を特定することに相当する。第３放送装置１０ｃは、特定した中継用のＴＳのヘッダをもとに戻すことによって、中継用のＴＳを放送用のＴＳに変形させる。第３放送装置１０ｃは、放送用のＴＳを放送用のセグメントに割り当てる。第３放送装置１０ｃは、周波数分割多重した信号を送信する。
【００２６】
第３受信装置１２ｃは、第３放送装置１０ｃからの信号を受信する。第３受信装置１２ｃは、第１受信装置１２ａと同様に、信号の中から放送用のＴＳを抽出し、エリアワンセグメント放送の番組を再生する。図２（ｃ）は、第３放送装置１０ｃから送信される信号のセグメント構造を示す。図示のごとく、放送用のＴＳ「Ｃ」が、放送用のセグメント「０」に割り当てられている。放送用のＴＳ「Ｃ」は、図２（ａ）に示されているように第１放送装置１０ａにおいて中継用のＴＳとされている。図１に戻る。このように、第１受信装置１２ａは、第１放送装置１０ａだけからの放送用のＴＳを再生し、第２受信装置１２ｂは、第２放送装置１０ｂだけからの放送用のＴＳを再生し、第３受信装置１２ｃは、第３放送装置１０ｃだけからの放送用のＴＳを再生する。なお、第１放送装置１０ａから放送された放送用のＴＳを受信可能な受信装置１２として、図１は、第１受信装置１２ａのみを示しているが、そのような受信装置１２が複数存在してもよい。第２受信装置１２ｂ、第３受信装置１２ｃも同様である。
【００２７】
図３は、第１放送装置１０ａの構成を示す。第１放送装置１０ａは、エンコーダ２０と総称される第１エンコーダ２０ａ、第２エンコーダ２０ｂ、第３エンコーダ２０ｃ、多重化部２２と総称される第１多重化部２２ａ、第２多重化部２２ｂ、第３多重化部２２ｃ、変形部２４と総称される第１変形部２４ａ、第２変形部２４ｂ、マッピング部２６、送信部２８、制御部３０を含む。
【００２８】
エンコーダ２０は、動画像データ等に対して符号化を実行する。符号化には、例えば、ＭＰＥＧ（Ｍｏｖｉｎｇ  Ｐｉｃｔｕｒｅ  Ｅｘｐｅｒｔｓ  Ｇｒｏｕｐ）２が使用されるが、ＭＰＥＧ４、Ｈ．２６４等の他の符号化が使用されてもよい。このような符号化は公知の技術であるので、ここでは説明を省略する。図１のごとく、ひとつのマスタ放送装置とふたつのスレーブ放送装置が含まれている場合を想定しているので、エンコーダ２０は、図３のごとく、第１エンコーダ２０ａから第３エンコーダ２０ｃのように３つ設けられている。スレーブ放送装置の数が２とは異なる場合、エンコーダ２０の数が３以外であってもよい。さらに、図３では、エンコーダ２０がエリアワンセグメント番組ごとに設けられているが、ひとつにまとめられてもよい。エンコーダ２０は、符号化結果であるＴＳデータを多重化部２２に出力する。
【００２９】
多重化部２２は、エンコーダ２０からのＴＳデータにＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）やデータ放送コンテンツを多重化する。多重化した結果が、前述のＴＳに相当する。特に、第１多重化部２２ａにおいて多重化した結果が、放送用のＴＳに相当し、第２多重化部２２ｂ、第３多重化部２２ｃ、つまり第１多重化部２２ａ以外の多重化部２２において多重化した結果が、中継用のＴＳに相当する。第２多重化部２２ｂから出力される中継用のＴＳの宛先は第２放送装置１０ｂであり、第３多重化部２２ｃから出力される中継用のＴＳの宛先は第３放送装置１０ｃである。
【００３０】
図４（ａ）−（ｂ）は、変形部２４におけるＴＳのデータ構造を示す。図４（ａ）は、多重化部２２から出力されるＴＳを示す。図示のごとく、ＴＳは、１８８バイトで形成されており、ヘッダ部とアプリケーションフィールド／ペイロード部を含む。アプリケーションフィールド／ペイロード部は、放送用のＴＳにおいて放送用のデータに相当し、中継用のＴＳにおいて中継用のデータに相当する。ヘッダ部は、同期バイト、ＴＥＩ、ペイロード開始インジケータ、トランスポート優先度、ＰＩＤ、トランスポートスクランブル制御、アダプテーションフィールド制御、連続性指標を含む。特に、ＰＩＤは、アプリケーションフィールド／ペイロード部のデータの種別を識別するための識別情報である。連続性指標は、同一のＰＩＤが付与されたデータの順序を指定するための情報である。これは、ＰＩＤごとにインクリメントした値である。図４（ｂ）は後述し、図３に戻る。
【００３１】
変形部２４は、多重化部２２からの中継用のＴＳを変形させる。第１変形部２４ａは、第２多重化部２２ｂに接続され、第２変形部２４ｂは、第３多重化部２２ｃに接続される。変形部２４は、中継用のＴＳに含まれたＰＩＤに対して、データの種別に非依存の第１値への置換を実行するとともに、連続性指標に対して、識別情報に対応した第２値への置換を実行する。以下では、図５を使用しながら、この処理を説明する。
【００３２】
図５は、変形部２４の構成を示す。変形部２４は、ＰＩＤ検出部４０、ＰＩＤ変換部４２、連続性指標変換部４４、記憶部４６を含む。ＰＩＤ検出部４０は、中継用のＴＳに含まれたＰＩＤを検出する。ＰＩＤ変換部４２は、ＰＩＤ検出部４０において検出したＰＩＤを第１値に変換する。ここで、第１値は、ヌルパケットを示す値「０ｘ１ＦＦＦ」である。ＰＩＤ変換部４２は、第１値に変換した中継用のＴＳを連続性指標変換部４４に出力する。
【００３３】
記憶部４６は、ＰＩＤと第２値との対応が示されたテーブルを記憶する。図６は、記憶部４６に記憶されたテーブルのデータ構造を示す。図示のごとく、ＰＩＤ参照番号欄８０、ＰＩＤ欄８２、内容欄８４が含まれる。ここで、ＰＩＤ参照番号は、前述の第２値に相当する。図示のごとく、ＰＩＤとＰＩＤ参照番号が対応づけられている。また、ＰＩＤにて識別されるデータの種別が内容欄８４に示されている。図５に戻る。連続性指標変換部４４は、記憶部４６に記憶したテーブルを参照することによって、中継用のＴＳに含まれたＰＩＤをＰＩＤ参照番号、つまり第２値に変換する。さらに、連続性指標変換部４４は、中継用のＴＳにおける連続性指標をＰＩＤ参照番号に置換する。図４（ｂ）は、連続性指標変換部４４によって変形されたＴＳのデータ構造を示す。図４（ａ）におけるＰＩＤが、ヌルパケットを示す「０ｘ１ＦＦＦ」に置換され、連続性指標がＰＩＤ参照番号に置換されている。図３に戻る。
【００３４】
マッピング部２６は、第１多重化部２２ａから放送用のＴＳを受けつけ、変形部２４から中継用のＴＳを受けつける。マッピング部２６は、放送用のＴＳを放送用のセグメントにマッピングするとともに、中継用のＴＳを中継用のセグメントにマッピングする。図２（ａ）の場合、放送用のＴＳがセグメント「０」にマッピングされ、第２放送装置１０ｂへの中継用のＴＳがセグメント「２」にマッピングされ、第３放送装置１０ｃへの中継用のＴＳがセグメント「１」にマッピングされる。放送用のセグメントと中継用のセグメントとは周波数多重されることによって、ひとつのチャンネルに含まれる。マッピング部２６は、マッピングした結果を送信部２８に出力する。
【００３５】
送信部２８は、マッピング部２６からマッピングの結果を受けつけ、マッピングの結果をＯＦＤＭ信号として出力する。具体的に説明すると、送信部２８は、マッピングの結果である周波数領域のＯＦＤＭシンボルに対して、ＩＦＦＴ（Ｉｎｖｅｒｓｅ  Ｆａｓｔ  Ｆｏｕｒｉｅｒ  Ｔｒａｎｓｆｏｒｍ）を実行することによって、有効シンボルを生成する。また、送信部２８は、ＧＩ（Ｇｕａｒｄ ｉｎｔｅｒｖａｌ）を有効シンボルに付加することによって、ベースバンドのＯＦＤＭシンボルを生成する。ベースバンドのＯＦＤＭシンボルは、時間領域のＯＦＤＭシンボルに相当する。送信部２８は、時間領域のＯＦＤＭシンボルを周波数変換することによって、無線周波数のＯＦＤＭ信号を生成する。送信部２８は、無線周波数の無線周波数のＯＦＤＭ信号を増幅した後、アンテナから送信する。制御部３０は、第１放送装置１０ａの動作タイミングを制御する。
【００３６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３７】
図７は、第２放送装置１０ｂの構成を示す。第２放送装置１０ｂは、受信部５０、変形部５２、マッピング部５４、送信部５６、制御部５８を含む。受信部５０は、アンテナを介して、図示しない第１放送装置１０ａから送信された信号を受信する。受信部５０は、受信した信号に対してＦＦＴ（Ｆａｓｔ  Ｆｏｕｒｉｅｒ  Ｔｒａｎｓｆｏｒｍ）を実行することによって、時間領域のＯＦＤＭシンボルを周波数領域のＯＦＤＭシンボルに変換する。さらに、受信部５０は、周波数領域のＯＦＤＭシンボルをサブキャリア単位に復調し、復調結果に対してＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）を捕捉しデコードする。その結果、複数のＴＳが取得される。
【００３８】
これは、放送用のセグメントと中継用のセグメントが周波数多重されたチャンネルに相当する。前述のごとく、放送用のセグメントにマッピングされた放送用のＴＳには、放送用のデータと、ＰＩＤと、連続性指標とが含まれる。中継用のセグメントにマッピングされた中継用のＴＳには、中継用のデータと、ヌルパケットを示す第１値と、ＰＩＤ参照番号である第２値とが含まれる。受信部５０は、放送用のＴＳを破棄する。また、受信部５０は、中継用のＴＳのうち、第２放送装置１０ｂからの放送用のＴＳとなるべきＴＳを特定する。前述のごとく、特定すべきＴＳがマッピングされたセグメントは予め定められている。受信部５０は、特定した中継用のＴＳを変形部５２へ出力する。さらに、受信部５０は、残りの中継用のＴＳをマッピング部５４へ出力する。
【００３９】
変形部５２は、受信部５０から中継用のＴＳを受けつけ、これを変形させる。変形部５２は、第１値に対して、第２値に対応したＰＩＤへの置換を実行するとともに、第２値に対して、連続性指標への置換を実行する。以下では、図８を使用しながら、この処理を説明する。
【００４０】
図８は、変形部５２の構成を示す。変形部５２は、連続性指標検出部６０、ＰＩＤ変換部６２、連続性指標変換部６４、記憶部４６を含む。連続性指標検出部６０は、中継用のＴＳに含まれたＰＩＤ参照番号、すなわち第２値を検出する。これは、本来のヘッダ部における連続性指標の位置に配置される情報である。記憶部４６は、ＰＩＤとＰＩＤ参照番号との対応が示されたテーブルを記憶する。これは、図６に示したとおりである。ＰＩＤ変換部６２は、記憶部４６に記憶したテーブルを参照することによって、中継用のＴＳに含まれたＰＩＤ参照番号をＰＩＤに変換する。これは、図５の連続性指標変換部４４での処理の逆の処理といえる。ＰＩＤ変換部６２は、中継用のＴＳに含まれたヌルパケット値（０ｘ１ＦＦＦ）をＰＩＤに置換する。
【００４１】
連続性指標変換部６４は、カウンタを備え、ＴＳデータのカウンタ値をもとに連続性指標を生成する。ここで、カウンタ値のインクリメントは、ＰＩＤごとになされる。連続性指標変換部６４は、中継用のＴＳに含まれたＰＩＤ参照番号に対して、ＰＩＤごとにインクリメントされた値への置換を実行する。その結果、図４（ｂ）のデータ構造を有したヘッダ部が、図４（ａ）のデータ構造を有したヘッダ部に変換される。これらの処理は、中継用のＴＳから放送用のＴＳへの変換といえる。図７に戻る。
【００４２】
マッピング部５４は、変形部５２によって変形された中継用のＴＳを受けつけるとともに、受信部５０から中継用のＴＳを受けつける。マッピング部５４は、受信部５０において入力したチャンネルのうちの放送用のセグメントにマッピングされた放送用のＴＳの代わりに、変形部５２において変形した中継用のＴＳを放送用のセグメントにマッピングする。また、マッピング部５４は、受信部５０において受信したチャンネルのうち、変形部５２での変形非対象である中継用のＴＳを、そのまま同一の中継用のセグメントにマッピングする。図２（ａ）の場合、変形した中継用のＴＳがセグメント「０」にマッピングされ、第３放送装置１０ｃへの中継用のＴＳがセグメント「１」にマッピングされる。マッピング部５４は、マッピングした結果を送信部５６に出力する。送信部５６は、図３の送信部２８と同様に、マッピング部５４からマッピングの結果を受けつけ、マッピングの結果を出力する。ここでは説明を省略する。制御部５８は、第２放送装置１０ｂの動作タイミングを制御する。
【００４３】
図９は、第３放送装置１０ｃの構成を示す。受信部５０、変形部５２、マッピング部５４、送信部５６、制御部５８を含む。これは、第２放送装置１０ｂの動作のうち、中継用のＴＳをそのまま中継用のセグメントにマッピングさせる動作を除いたものと同様である。ここでは、説明を省略する。
【００４４】
本発明の実施例によれば、中継用のＴＳに対して、ヌルパケットを示す値にＰＩＤを置換するので、受信されてもサービスの提供を回避できる。また、ＰＩＤを置換するだけなので、処理を簡易にできる。また、ＰＩＤを置換するだけなので、それまでのデータレートを維持できる。また、連続性指標をＰＩＤ参照番号に置換するので、ヌルパケットを示す値にＰＩＤが置換されても、データの種別を伝送できる。また、ヌルパケットを示す値を使用するので、固定値を使用できる。また、ＰＩＤとＰＩＤ参照番号との対応が示されたテーブルを使用して、ＰＩＤからＰＩＤ参照番号を導出するので、処理を簡易にできる。
【００４５】
また、中継用のＴＳのうち、放送すべきものに対してのみヘッダ部を変換させるので、処理を簡易にできる。また、変換させた中継用のＴＳを放送用のセグメントにマッピングさせるので、当該ＴＳを放送できる。また、カウンタ値をもとに連続性指標を生成するので、受信装置に正常に受信させることができる。また、中継すべき中継用のＴＳをそのまま中継用のセグメントにマッピングするので、処理を簡易にしながら、中継を実行できる。
【００４６】
また、バラセグが受信できる受信装置で受信してもサービスがデコードできないうえ、配信側が送信可能な伝送レートと同じ伝送レートで再送信が可能で簡単なエリアワンセグメント放送を提供できる。また、配信に使用される中継等の放送波のＴＳはすべてのＰＩＤがヌルパケットとなっているため一般的な受信装置で受信されてもデコードを阻止できる。配信に使用される中継等の放送波のＴＳの伝送レートと中継された配信先での放送波のＴＳレートが同じになるので、効率を向上できる。また、周波数利用効率も向上できる。
【００４７】
（実施例２）
次に実施例２を説明する。実施例２は、実施例１と同様に、中央のセグメントに放送用のＴＳを割り当て、他のセグメントに中継用のＴＳを割り当てるエリアワンセグメント放送システムに関する。実施例１では、複数のスレーブ放送装置が直列に接続されている。一方、実施例２は、複数のスレーブ放送装置が並列に接続されている場合を想定する。例えば、マスタ放送装置に対して、ふたつのスレーブ放送装置が並列に接続される。ここで、ふたつのスレーブ放送装置のそれぞれにおける放送用のＴＳが異なり、かつ一方のスレーブ放送装置における放送用のＴＳが、他方のスレーブ放送装置において中継する必要がない場合、一方のスレーブ放送装置における放送用のＴＳは、他方のスレーブ放送装置にて中継されなくてもよい。実施例２は、このような場合における伝送効率の改善を目的とする。スレーブ放送装置は、中継する必要のない中継用のＴＳを受信した場合、当該中継用のＴＳを中継しない。実施例２に係る第１放送装置、第２放送装置、第３放送装置は、図３、図７、図９と同様のタイプであるので、ここでは、差異を中心に説明する。
【００４８】
図１０は、本発明の実施例２に係るエリアワンセグメント放送システム１００の構成を示す。図１では、第１放送装置１０ａ、第２放送装置１０ｂ、第３放送装置１０ｃが順に接続されている。一方、図１０では、第１放送装置１０ａに対して、第２放送装置１０ｂと第３放送装置１０ｃとが並列に接続されている。このようにマスタ放送装置に対して、複数のスレーブ放送装置が並列に接続されているが、接続形態はこれに限定されない。例えば、ひとつのスレーブ放送装置に対して、複数の別のスレーブ放送装置が並列に接続されていてもよい。
【００４９】
第１放送装置１０ａは、実施例１と同様にマスタ放送装置に相当する。図１１（ａ）−（ｃ）は、エリアワンセグメント放送システム１００において使用されるセグメントの構成を示す。図１１（ａ）は、第１放送装置１０ａから送信される信号のセグメント構造を示す。これは、図２（ａ）と同一である。また、図１１（ｂ）−（ｃ）の説明は後述する。図１０に戻る。
【００５０】
第２放送装置１０ｂ、第３放送装置１０ｃは、実施例１のスレーブ放送装置に相当する。第２放送装置１０ｂ、第３放送装置１０ｃは、第１放送装置１０ａからの信号を受信する。第２放送装置１０ｂ、第３放送装置１０ｃは、放送用のセグメントに割り当てられた放送用のＴＳを破棄する。第２放送装置１０ｂは、中継用のＴＳのうち、第２放送装置１０ｂが放送すべきＴＳを特定する。これは、図１１（ａ）の場合、中継用のＴＳ「Ｂ」を特定することに相当する。第２放送装置１０ｂは、前述のごとく、中継用のＴＳを放送用のＴＳに変形させ、放送用のＴＳを放送用のセグメントに割り当てる。一方、第２放送装置１０ｂは、中継用のＴＳを中継する必要がない場合、当該他の中継用のＴＳを中継用のセグメントに割り当てずに、削除する。つまり、図７に示されたマッピング部５４は、入力したチャンネルのうち、変形非対象である中継用のセグメントが中継不要である場合、当該中継用のセグメントを削除する。
【００５１】
図１１（ｂ）は、第２放送装置１０ｂから送信される信号のセグメント構造を示す。図示のごとく、放送用のＴＳ「Ｂ」が、放送用のセグメント「０」に割り当てられている。放送用のＴＳ「Ｂ」は、図１１（ａ）に示されているように第１放送装置１０ａにおいて中継用のＴＳとされている。一方、図１１（ａ）において、中継用のセグメント「１」に割り当てられた中継用のＴＳ「Ｃ」は、図１１（ｂ）において中継用のセグメント「１」に割り当てられていない。図１０に戻る。
【００５２】
第３放送装置１０ｃは、中継用のＴＳのうち、第３放送装置１０ｃが放送すべきＴＳを特定する。これは、図１１（ｂ）の場合、中継用のＴＳ「Ｃ」を特定することに相当する。第３放送装置１０ｃは、第２放送装置１０ｂと同様に、中継用のＴＳを放送用のＴＳに変形させ、放送用のＴＳを放送用のセグメントに割り当てる。第３放送装置１０ｃは、第２放送装置１０ｂと同様に、中継用のＴＳを中継する必要がない場合、当該他の中継用のＴＳを中継用のセグメントに割り当てずに、削除する。つまり、図９に示されたマッピング部５４は、入力したチャンネルのうち、変形非対象である中継用のセグメントが中継不要である場合、当該中継用のセグメントを削除する。各スレーブ放送装置において、放送用のＴＳと、中継すべき中継用のＴＳは、予め設定されているものとする。
【００５３】
本発明の実施例によれば、中継すべきでない中継用のＴＳを削除するので、不要な信号の送信を回避できる。また、不要な信号の送信が回避されるので、伝送効率の悪化の抑制できる。
【００５４】
（実施例３）
次に実施例３を説明する。実施例３は、実施例１および２と同様に、中央のセグメントに放送用のＴＳを割り当て、他のセグメントに中継用のＴＳを割り当てるエリアワンセグメント放送システムに関する。実施例１および２では、放送用のＴＳと放送用のセグメントとの対応関係、中継用のＴＳと中継用のセグメントとの対応関係は、各放送装置に予め設定されている。実施例３では、これらの対応関係を柔軟に変更することを目的とする。そのため、制御装置が、ネットワークを介して各放送装置に接続される。エリアワンセグメント放送システムの管理者は、制御装置を操作することによって、前述の対応関係を設定する。制御装置は、設定された対応関係を各放送装置に送信する。各放送装置は、受信した対応関係に応じて、放送用のＴＳを放送用のセグメントに割り当てるとともに、中継用のＴＳを中継用のセグメントに割り当てる。対応関係を変更する場合、管理者は、新たな対応関係を制御装置に設定する。実施例３に係る第１放送装置、第２放送装置、第３放送装置は、図３、図７、図９と同様のタイプであるので、ここでは、差異を中心に説明する。
【００５５】
図１２は、本発明の実施例３に係るエリアワンセグメント放送システム１００の構成を示す。エリアワンセグメント放送システム１００は、図１に加えて、制御装置９０を含む。第１放送装置１０ａ、第２放送装置１０ｂ、第３放送装置１０ｃは、図１と同様に動作する。制御装置９０は、ネットワークを介して放送装置１０に接続される。ネットワークは、有線ネットワークでもよく、無線ネットワークでもよく、それらの組合せでもよい。また、ネットワークは、ＩＰ（Ｉｎｔｅｒｎｅｔ  Ｐｒｏｔｏｃｏｌ）ネットワークにて構成されるものとする。
【００５６】
制御装置９０は、各放送装置１０に対して、セグメントとＴＳとの対応関係を記憶する。当該対応関係は、管理者によって設定される。制御装置９０は、記憶した対応関係をもとに、ネットワークを介して各放送装置１０へ、放送用のセグメントと中継用のセグメントとにマッピングすべきＴＳを指示する。これは、どの放送装置１０でどのセグメントのデータを放送するか、どの放送装置１０でどのセグメントのデータを中継するかを指示することに相当する。各放送装置１０は、受けつけた指示をマッピング部２６あるいはマッピング部５４に記憶する。マッピング部２６あるいはマッピング部５４は、記憶した指示に応じてマッピングを実行する。
【００５７】
図１３は、制御装置９０の構成を示す。制御装置９０は、接続部７０、制御部７２、操作部７４、表示部７６、記憶部７８を含む。表示部７６は、制御部７２にて生成された画面を表示する。例えば、前述の対応関係を設定するためのＧＵＩ（Ｇｒａｐｈｉｃａｌ  Ｕｓｅｒ  Ｉｎｔｅｒｆａｃｅ）が表示される。管理者は、表示部７６に表示された画面を見ながら、操作部７４を操作することによって、設定内容を入力する。操作部７４は、キーボード、ボタン等によって構成される。操作部７４は、入力された設定内容を制御部７２へ出力する。
【００５８】
制御部７２は、入力された設定内容を記憶部７８に記憶する。図１４は、記憶部７８に記憶したデータベースのデータ構造を示す。図示のごとく、各放送装置１０に対して、コンテンツ、放送セグメント、中継セグメント、放送装置種別がデータベースに含まれる。コンテンツは、コンテンツの内容が示される。ここでのコンテンツ「Ａ」〜「Ｃ」は、例えば、図２（ａ）−（ｃ）、図１１（ａ）−（ｃ）に対応する。放送セグメントは、放送用のセグメントに対応し、中継セグメントは、中継用のセグメントに対応する。放送装置種別は、マスタ放送装置、スレーブ放送装置のいずれかを示す。この設定は、図１、図２（ａ）−（ｃ）に相当する。図１３に戻る。
【００５９】
接続部７０は、ネットワークに接続されており、ネットワークを介して放送装置１０に接続される。制御部７２は、接続部７０において接続した各放送装置１０に対して、記憶部７８に記憶されたデータベースを送信する。これは、放送用のセグメントと中継用のセグメントとにマッピングすべきトランスポートストリームを指示することに相当する。
【００６０】
図１５は、本発明の実施例３に係るエリアワンセグメント放送システム１００の別の構成を示す。これは、図１０、図１１（ａ）−（ｃ）を実施例３に適用した場合に相当する。制御装置９０は、前述のとおり処理する。図１６は、制御装置９０における記憶部７８に記憶したデータベースのデータ構造を示す。図１６も、図１４と同様に示される。
【００６１】
本発明の実施例によれば、各放送装置におけるコンテンツとセグメントの対応関係を制御装置から設定するので、対応関係の設定を容易にできる。また、対応関係の設定が容易になるので、対応関係を柔軟に変更できる。
【００６２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６３】
本発明の実施例１乃至３において、エリアワンセグメント放送システム１００、放送装置１０は、ワンセグメント放送を実行している。しかしながらこれに限らず例えば、これらは、複数のセグメント放送を実行してもよい。複数のセグメント放送の一例は、３セグメント放送である。本変形例によれば、さまざまな放送に本発明を適用できる。
【符号の説明】
【００６４】
１０  放送装置、  １２  受信装置、  ２０  エンコーダ、  ２２  多重化部、  ２４  変形部、  ２６  マッピング部、  ２８  送信部、  ３０  制御部、  ４０  ＰＩＤ検出部、  ４２  ＰＩＤ変換部、  ４４  連続性指標変換部、  ４６  記憶部、  ５０  受信部、  ５２  変形部、  ５４  マッピング部、  ５６  送信部、  ５８  制御部、  ６０  連続性指標検出部、  ６２  ＰＩＤ変換部、  ６４  連続性指標変換部、  ７０  接続部、  ７２  制御部、  ７４  操作部、  ７６  表示部、  ７８  記憶部、９０  制御装置、  １００  エリアワンセグメント放送システム。
【図１】
2014197835.tif 000003
【図２】
2014197835.tif 000004
【図３】
2014197835.tif 000005
【図４】
2014197835.tif 000006
【図５】
2014197835.tif 000007
【図６】
2014197835.tif 000008
【図７】
2014197835.tif 000009
【図８】
2014197835.tif 000010
【図９】
2014197835.tif 000011
【図１０】
2014197835.tif 000012
【図１１】
2014197835.tif 000013
【図１２】
2014197835.tif 000014
【図１３】
2014197835.tif 000015
【図１４】
2014197835.tif 000016
【図１５】
2014197835.tif 000017
【図１６】
2014197835.tif 000018